(57)【要約】【課題】  苗載置部に側部苗載せ部材を回動自在に設け、側部苗載せ部材を収納位置に回動させたとき、苗載置部と側部苗載せ部材に設けた苗押え具同士の干渉を防止できる構成とする。【解決手段】  苗載せ部材３は、主苗載せ部４と、左右に設ける折畳軸７，７と、折畳軸７，７を回動中心とする側部苗載せ部材８，８で構成し、側部苗載せ部材８，８を主苗載せ部４の両側から上方に亘って回動可能に構成すると共に、主苗載せ部４と側部苗載せ部材８，８に、苗の下方移動を規制する苗押え杆９，１０，１０を設け、側部苗載せ部材８，８を折畳軸７，７の傾斜姿勢に沿って前後方向に移動可能に構成し、側部苗載せ部材８，８が主苗載せ部４の上方に位置する収納状態では、主苗載せ部４の苗押え杆９と側部苗載せ部材８，８の苗押え杆１０，１０の上部側が上下方向に偏倚する構成とする。【選択図】図３
2015104354.tif 000002
【特許請求の範囲】
【請求項１】
走行車体（２４）に苗を積載する苗載せ部材（３）を設け、該苗載せ部材（３）の下部に苗を取って圃場に植え付ける苗植付装置（１）を設け、該苗載せ部材（３）は、主苗載せ部（４）と、該主苗載せ部（４）の左右両側に前上がり傾斜姿勢で設ける左右の折畳軸（７，７）と、該左右の折畳軸（７，７）を回動中心として回動する左右の側部苗載せ部材（８，８）で構成し、該左右の側部苗載せ部材（８，８）を主苗載せ部（４）の左右両側から上方に亘って回動可能に構成すると共に、前記主苗載せ部（４）と左右の側部苗載せ部材（８，８）に、積載した苗が自重によって下方移動することを規制する苗押え杆（９，１０，１０）を各々設けた苗移植機において、
前記左右の側部苗載せ部材（８，８）を左右の折畳軸（７，７）の傾斜姿勢に沿って前後方向に移動可能に構成し、前記左右の側部苗載せ部材（８，８）が主苗載せ部（４）の上方に位置する収納状態では、主苗載せ部（４）の苗押え杆（９）と左右の側部苗載せ部材（８，８）の各苗押え杆（１０，１０）の上部側が上下方向に偏倚することを特徴とする苗移植機の苗載置部。
【請求項２】
前記主苗載せ部（４）に設ける苗押え杆（９）と、前記左右の側部苗載せ部材（８，８）に設ける苗押え杆（１０，１０）は、積載した苗の押圧位置を調節可能に設けたことを特徴とする請求項１に記載の苗移植機の苗載置部。
【請求項３】
前記左右の折畳軸（７，７）には、前記左右の側部苗載せ部材（８）を左右の折畳軸（７，７）の傾斜方向に沿って付勢する左右の弾発部材（１１，１１）を設けたことを特徴とする請求項１または２に記載の苗移植機の苗載置部。
【請求項４】
前記主苗載せ部（４）の左右両側に第１側板（５，５）を各々設け、前記左右の側部苗載せ部材（８，８）の機体内側端部に第２側板（６，６）を各々設け、前記苗押え杆（９，１０，１０）の先端部を保持する押え杆ホルダー（１２，１３）を、前記左右の第１側板（５，５）と左右の第２側板（６，６）の傾斜方向の前端部に苗押え高さ調節自在に設けたことを特徴とする請求項１から３のいずれか１項に記載の苗移植機の苗載置部。
【請求項５】
前記各押え杆ホルダー（１２，１３）は、前記苗押え杆（９，１０，１０）の先端部のホルダピン（１４，１５）を支持する仮保持部（１６）と、該仮保持部（１６）に支持した苗押え杆（９，１０，１０）のホルダピン（１４，１５）を押し込んで嵌合保持する嵌合部（１７）を形成したことを特徴とする請求項４に記載の苗移植機の苗載置部。
【発明の詳細な説明】
【技術分野】
【０００１】
この発明は、苗移植機の苗載置部に関し、多条植形態の苗移植機において、苗植条幅方向の中央部に位置する中央部タンクの左右横端部に、側部タンクを折畳回動可能に設けて、苗移植機格納時や、運搬時等においては、この側部タンクを中央部タンク上側部へ折畳回動させて、格納場所をコンパクトにするものである。
【背景技術】
【０００２】
多条植形態の苗移植機において、中央部タンクの左右横端部の側部タンクを、この中央部タンクの上側部の重合するように折畳回動させて、苗タンクの横幅を縮小させて、格納し易くする技術は、既に知らされている（例えば、特許文献立１参照）。
【先行技術文献】
【特許文献】
【０００３】
【特許文献１】特開２０１０−２２０４９５号公報
【発明の概要】
【発明が解決しようとする課題】
【０００４】
マット苗を載せて繰出供給する苗タンクの上側面には、このマット苗上側面を上側から適宜圧に押えて繰出案内させる苗押え杆を配置することが多く、側部タンクの折畳回動のためには邪魔になり易く、また、前記側部タンクの折畳時に、この苗タンク上面の各苗押え杆を、折畳みごとに取り外す形態とするのは、構成、操作共に煩雑となり、操作が複雑となってしまう問題がある。
【課題を解決するための手段】
【０００５】
請求項１に記載の発明は、走行車体（２４）に苗を積載する苗載せ部材（３）を設け、該苗載せ部材（３）の下部に苗を取って圃場に植え付ける苗植付装置（１）を設け、該苗載せ部材（３）は、主苗載せ部（４）と、該主苗載せ部（４）の左右両側に前上がり傾斜姿勢で設ける左右の折畳軸（７，７）と、該左右の折畳軸（７，７）を回動中心として回動する左右の側部苗載せ部材（８，８）で構成し、該左右の側部苗載せ部材（８，８）を主苗載せ部（４）の左右両側から上方に亘って回動可能に構成すると共に、前記主苗載せ部（４）と左右の側部苗載せ部材（８，８）に、積載した苗が自重によって下方移動することを規制する苗押え杆（９，１０，１０）を各々設けた苗移植機において、前記左右の側部苗載せ部材（８，８）を左右の折畳軸（７，７）の傾斜姿勢に沿って前後方向に移動可能に構成し、前記左右の側部苗載せ部材（８，８）が主苗載せ部（４）の上方に位置する収納状態では、主苗載せ部（４）の苗押え杆（９）と左右の側部苗載せ部材（８，８）の各苗押え杆（１０，１０）の上部側が上下方向に偏倚することを特徴とする苗移植機の苗載置部とする。
【０００６】
苗移植機の苗植付作業時は、主苗載せ部（４）の左右両側に設けた側部苗載せ部材（８，８）を、折畳軸（７，７）を回動中心として主苗載せ部（４）の左右両側に突出する位置に回動させて、苗載せ部材（３）の左右幅を拡張させた形態とする。そして、該苗載せ部材（３）に苗を積載し、苗載せ部材（３）の下端部側の苗取出口（２）まで下降した苗の下端部側を、苗植付装置（１）によって分離保持して、土壌面に植え付けていく。
【０００７】
また、苗植付作業の後、苗移植機を倉庫などに収納するとき、主苗載せ部（４）の左右両側部の側部苗載せ部材（８，８）を、折畳軸（７，７）を回動中心として上方に回動させ、この側部苗載せ部材（８，８）を主苗載せ部（４）の上方で略平行状になる、収納用の折畳状態とすることができる。
【０００８】
側部苗載せ部材（８，８）を折畳状態とした苗載せ部材（３）は、側部苗載せ部材（８，８）が主苗載せ部（４）の上方にほぼ水平状態で重なる位置に移動することにより、収納時に苗植付装置（１）よりも機体左右方向に張り出す部材が無くなるので、機体の収納場所を余分に取らない形態とすることができる。
【０００９】
上記の苗載せ部材（３）の折畳形態では、側部苗載せ部材（８，８）を折畳軸（７，７）の傾斜方向に沿って前後方向へ移動させことができるので、この側部苗載せ部材（８，８）の前方移動、または後方移動によって、主苗載せ部（４）の前端部を、側部苗載せ部材（８，８）の後端部との対向関係位置を前後位置に偏倚させることができ、主苗載せ部（４）と側部苗載せ部材（８，８）に設ける各苗押え杆（９，１０）の前端部を取り付けるための押え杆ホルダ（１２）等の構成位置が前後方向に偏倚するので、側部苗載せ部材（８，８）を折畳回動した際の接触干渉が防止され、側部苗載せ部材（８，８）の折畳がスムーズに行える。
【００１０】
前記側部苗載せ部材（８，８）は、主苗載せ部（４）の折畳軸（７，７）に対して傾斜前端部方向へ移動できるように構成し、側部苗載せ部材（８，８）の移動前端位置では、この側部苗載せ部材（８，８）側の苗押え杆（１０）の先端部を保持する押え杆ホルダ（１２）が、主苗載せ部（４）側の押え杆ホルダ（１２）よりも前方位置に偏倚する形態となる。
【００１１】
また、前記側部苗載せ部材（８，８）は、この側部苗載せ部材（８，８）側の苗押え杆（１０）や、この押え杆ホルダ（１３）等と一体として、主苗載せ部（４）の傾斜下端部側に移動できる構成とすることも可能である。
【００１２】
請求項２に記載の発明は、前記主苗載せ部（４）に設ける苗押え杆（９）と、前記左右の側部苗載せ部材（８，８）に設ける苗押え杆（１０，１０）は、積載した苗の押圧位置を調節可能に設けたことを特徴とする請求項１に記載の苗移植機の苗載置部とする。
【００１３】
前記側部苗載せ部材（８，８）は、主苗載せ部（４）の左右外側端部の折畳軸（７，７）の周りに上、下回動させて、主苗載せ部（４）上に折畳むようにして収納姿勢とすることができる。そして、この苗載置部材（３）のの上側部には、この苗載置部材（３）のの傾斜方向に沿って平行状に苗押え杆（９，１０，１０）が設けられていて、苗の上面を摺動押圧させてからの繰出苗の浮上揺動を防止して、正確且つ安定した苗の繰出供給を行わせる。
【００１４】
また、苗の種類や育成状態の違い等に応じて、各苗押え杆（９，１０，１０）の苗押え圧を変更したり調節したりするときは、主苗載せ部（４）及び側部苗載せ部材（８，８）に取り付けている苗押え杆（９，１０，１０）の取付高さ位置を各々変更、調節する。
【００１５】
このような主苗載せ部（４）、及び側部苗載せ部材（８，８）における各苗押え杆（９，１０，１０）の苗押え高さ調節においては、前記側部苗載せ部材（８，８）の傾斜方向に沿う前後方向移動によって、苗押え杆（９，１０，１０）の第１側板（５）と第２側板（６）に対する取付部（苗押え杆ホルダ）や、各苗押え杆（９，１０，１０）の取付先端部等の位置を、載置面傾斜方向の前後に偏倚した姿勢位置に操作、設定することができるので、前記側部苗載せ部材（８，８）を折畳軸（７，７）の周りに反転回動しても、前記タンク第１側板（５）と第２側板（６）間の各苗押え杆（９，１０，１０）の先端部の相互間が接当したり、これら苗押え杆（９，１０，１０）を取付ける苗押え杆ホルダ（１２，１３）相互間が接当干渉して、側部苗載せ部材（８，８）の折畳回動するのを阻止するような弊害を防止して、苗載置部材（３）の上方に突出する苗押え杆（９，１０，１０）等の構成形態に拘らず、側部苗載せ部材（８，８）の苗植姿勢への展開、及び収納姿勢への折畳回動を簡単且つ容易に行うことができる。
【００１６】
請求項３に記載の発明は、前記左右の折畳軸（７，７）には、前記左右の側部苗載せ部材（８）を左右の折畳軸（７，７）の傾斜方向に沿って付勢する左右の弾発部材（１１，１１）を設けたことを特徴とする請求項１または２に記載の苗移植機の苗載置部とする。
【００１７】
前記主苗載せ部（４）に対して側部苗載せ部材（８，８）を折畳軸（７，７）の周りに回動させて、折畳収納姿勢にしたり、逆に苗植姿勢に戻すことができるが、この側部苗載せ部材（８，８）を折畳回動する形態では、折畳軸（７，７）部に弾発部材（１１）を設けて、この弾発部材（１１）力によって、側部苗載せ部材（８，８）を傾斜方向の前端側方向へ移動するように張発構成している場合は、前記側部苗載せ部材（８，８）を折畳軸（７，７）の周りに回動して、主苗載せ部（４）の上面側へ反転回動させると、前記弾発部材（１１）の張発力によって、側部苗載せ部材（８，８）が主苗載せ部（４）に対して傾斜方向の前端側方向へ移動され、乃至移動され易くなり、側部苗載せ部材（８，８）の折畳姿勢への移動を簡単、容易に、円滑に行わせることができる。
【００１８】
前記弾発部材（１１）は、側部苗載せ部材（８，８）を折畳回動するとき、折畳姿勢になり易く作動する形態で設けているので、側部苗載せ部材（８，８）を傾斜方向の前端側へ偏倚させる形態では、側部苗載せ部材（８，８）を折畳軸（７，７）周りに内側上部へ反転回動することにより、弾発部材（１１）の張発力によって、この側部苗載せ部材（８，８）を傾斜方向の前端側へ自動的に移動させる、または移動容易に補助張発させる形態とする。
【００１９】
従って、側部苗載せ部材（８，８）を逆に後方側へ張発させる形態とする場合は、この側部苗載せ部材（８，８）の後方移動は、この側部苗載せ部材（８，８）自体の重力が働いているので、下動操作し易い状態にあるから、この側部苗載せ部材（８，８）を弾発部材（１１）の張発力に抗して後下方側へ移動操作して、折畳回動位置での側部苗載せ部材（８，８）が主苗載せ部（４）位置よりも後方位置になるように偏倚させることもできる。
【００２０】
よって、この形態では、側部苗載せ部材（８，８）の折畳姿勢を苗植姿勢に戻すときに、弾発部材（１１）の張発力によって、側部苗載せ部材（８，８）が苗植姿勢位置へ押し戻されるようになる。
【００２１】
また、前記折畳軸（７，７）部に弾発部材（１１）を設けることによって、主苗載せ部（４）の外側に張り出すようにして苗植姿勢に位置させる側部苗載せ部材（８，８）を、弾発部材（１１）によって折畳軸（７，７）の周りに上方折畳回動方向へ向けて常時張発させて、側部タンク１１の折畳回動自体の操作を行い易くすることができる。
【００２２】
この形態では、側部タンク１１の下方（苗植姿勢）への回動操作を、前記弾発部材（１１）の張発力に抗して戻し回動するため、円滑に、安全に回動操作することができる。
請求項４に記載の発明は、前記主苗載せ部（４）の左右両側に第１側板（５，５）を各々設け、前記左右の側部苗載せ部材（８，８）の機体内側端部に第２側板（６，６）を各々設け、前記苗押え杆（９，１０，１０）の先端部を保持する押え杆ホルダ（１２，１３）を、前記左右の第１側板（５，５）と左右の第２側板（６，６）の傾斜方向の前端部に苗押え高さ調節自在に設けたことを特徴とする請求項１から３のいずれか１項に記載の苗移植機の苗載置部とする。
【００２３】
前記苗載置部材（３）の傾斜上に沿って設ける苗押え杆（９，１０，１０）は、各苗載置部材（３）の傾斜載置面一定の高さ位置に沿って、この傾斜載置面に載せられる苗の上面部を軽く押圧、摺動させるようにして、苗の浮上揺動を防止して円滑で、安定した苗の繰出を案内保持するもので、前記主苗載せ部（４）と側部苗載せ部材（８，８）との間に形成する第１側板（５）と第２側板（６）部の傾斜前端部の位置において、各苗押え杆（９，１０，１０）の先端部が、押え杆ホルダ（１２，１３）によって取付保持される。
【００２４】
これら各押え杆ホルダ（１２，１３）の苗植姿勢位置における配置位置が、傾斜方向の同前後位相位置にあっても、側部苗載せ部材（８，８）を折畳姿勢に反転回動させた状態では、これら各押え杆ホルダ（１２，１３）相互間の対向関係位置が傾斜方向に偏倚するので、苗押え杆（９，１０，１０）の先端部を、折畳状態の載置面に深く臨ませた姿勢にして、押え杆ホルダ（１２，１３）に取付保持させることができる。
【００２５】
そして、この押え杆ホルダ（１２）や、苗押え杆（９）の先端部を、折畳上側部の側部苗載せ部材（８，８）側に深く臨ませると共に、押え杆ホルダ（１３）や、苗押え杆（１０）の先端部を、主苗載せ部（４）側へ深く臨ませる形態として、側部苗載せ部材（８，８）の折畳高さを低くした収納姿勢とすることができる。
【００２６】
そして、側部苗載せ部材（８，８）を苗植姿勢位置に戻して、苗の繰出供給作業を行うときは、前記各主苗載せ部（４）の押え杆ホルダ（１２）や、側部苗載せ部材（８，８）の押え杆ホルダ（１３）を、第１側板（５）と第２側板（６）に対して苗押え高さ方向、即ち、苗床の厚さの方向へ上、下移動調節することができ、この苗押え杆ホルダ（１２，１３）の移動によって苗押え杆（９，１０，１０）の案内高さを適正且つ容易に変更、調節することができる。
【００２７】
請求項５に記載の発明は、前記各押え杆ホルダー（１２，１３）は、前記苗押え杆（９，１０，１０）の先端部のホルダピン（１４，１５）を支持する仮保持部（１６）と、該仮保持部（１６）に支持した苗押え杆（９，１０，１０）のホルダピン（１４，１５）を押し込んで嵌合保持する嵌合部（１７）を形成したことを特徴とする請求項４に記載の苗移植機の苗載置部とする。
【００２８】
前記主苗載せ部（４）に設ける苗押え杆（９）と、側部苗載せ部材（８，８）の苗押え杆（１０）とは、この側部苗載せ部材（８，８）が折畳回動可能に構成される形態であるから、前記折畳軸（７，７）を支持する第１側板（５）と第２側板（６）に対して押え杆ホルダ（１２，１３）を介して各別に支持されるが、これらの苗押え杆（９，１０，１０）を着脱するときは、各苗押え杆（９，１０，１０）を先端部に突出するホルダピン（１４，１５）を、各対向の押え杆ホルダ（１２，１３）の仮保持部１６に支持させておき、各苗押え杆（９，１０，１０）のホルダピン（１４，１５）を、押え杆ホルダ（１２，１３）の仮保持部１６に支持されて、苗押え杆（９，１０，１０）の主苗載せ部（４）、及び側部苗載せ部材（８，８）に対する取付適正位置に揃った状態にしたとき、各押え杆ホルダ（１２，１３）の仮保持部（１６）に支持させているホルダピン（１４，１５）を、この支持位置の仮保持部（１６）からそのままの状態で奥側の嵌合部（１７）へ押込嵌合させて、各苗押え杆（９，１０，１０）の適正な装着姿勢として維持させる。
【００２９】
また、これら各苗押え杆（９，１０，１０）を押え杆ホルダ（１２，１３）から取外すときは、上記と逆の手順で操作することができる。
【発明の効果】
【００３０】
請求項１に記載の発明は、苗載せ部材（３）の左右幅を狭くするときは、主苗載せ部（４）の左右外側端部の側部苗載せ部材（８，８）を左右の折畳軸（７，７）を回動支点として内側上方に折畳回動させると共に、側部苗載せ部材（８，８）を傾斜方向の前端部側、または後端部側に移動させることにより、主苗載せ部（４）と側部苗載せ部材（８，８）間の第１側板（５）と第２側板（６）の傾斜方向の前端部側に取付支持させた苗押え杆（９，１０，１０）の取付支持部位置を、傾斜方向の前後方向に移動して偏倚させ、折畳姿勢時の相互干渉をなくし、円滑且つ正確な側部苗載せ部材（８，８）の折畳姿勢を操作することができ、側部苗載せ部材（８，８）を主苗載せ部（４）に対して傾斜の前後方向に移動することによって、構成及び操作を簡単且つ容易にすることができる。
【００３１】
請求項２に記載の発明は、請求項１に記載の発明の効果に加えて、主苗載せ部（４）及び側部苗載せ部材（８，８）の上側面部には、苗押え杆（９，１０，１０）を押え高さ調節可能に配置し、苗の厚さに合わせて苗押え杆（９，１０，１０）の高さ位置を選択することにより、円滑な苗の下方への送り出しを行わせることができる。
【００３２】
また、側部苗載せ部材（８，８）を折畳軸（７，７）を回動支点として折畳回動させ、苗載置部材（３）の左右幅を狭くするときは、側部苗載せ部材（８，８）が主苗載せ部（４）に対して傾斜方向の前後側に偏倚されるので、主苗載せ部（４）の傾斜前端部側に取り付けられた苗押え杆（９）の取付部に対する、側部苗載せ部材（８，８）の傾斜前端部側に取り付けられた苗押え杆（１０）の取付部が接触干渉して折畳回動を阻害することが防止され、円滑で的確な側部苗載せ部材（８，８）の折畳姿勢を得ることができる。
【００３３】
さらに、各苗押え杆（９，１０，１０）の苗押え高さ調節を大きく変更しても、側部苗載せ部材（８，８）の折畳回動時の苗押え杆（９，１０，１０）の取付部の相互干渉をなくすことができるので、各主苗載せ部（４）及び側部苗載せ部材（８，８）における苗押え杆（９，１０，１０）の高さ調節域を大きく設定することができるので、側部苗載せ部材（８，８）を折畳回動する際の作業工数の軽減や、作業自体の省略が図られる。
【００３４】
請求項３に記載の発明は、請求項１または２に記載の発明の効果に加えて、側部苗載せ部材（８，８）を主苗載せ部（４）に対して折畳回動して収納姿勢とするときは、側部苗載せ部材（８，８）が弾発部材（１１）によって前方または後方に移動され、主苗載せ部（４）及び苗押え杆（９）に対する側部苗載せ部材（８，８）及び苗押え杆（１０）を、傾斜方向の前後端部側へ簡単且つ容易に偏倚させることができる。
【００３５】
また、弾発部材（１１）は、主苗載せ部（４）と側部苗載せ部材（８，８）との第１側板（５）と第２側板（６）の折畳軸（７，７）に沿って設けられるので、苗載置部材（３）に収容搭載される苗の繰出供給の邪魔になり難く、簡潔且つ円滑な弾発部材（１１）の弾発を維持することができる。
【００３６】
請求項４に記載の発明は、請求項１から３のいずれか１項に記載の発明の効果に加えて、前記各苗押え杆（９，１０）の先端部を取付保持する押え杆ホルダ（１２，１３）が、側部苗載せ部材（８，８）を折畳回動する第１側板（５）と第２側板（６）の傾斜方向の前端部に設けられ、押え杆ホルダ（１２，１３）によって苗押え杆（９，１０，１０）の苗押え高さを調節可能とするものであるから、各タンク４、８の押え杆ホルダ（１２，１３）の構成位置を、第１側板（５）と第２側板（６）対向接合の折畳軸（７，７）の近傍に配置することにより、簡潔な構成となり、調節操作が行いなり、操作性や作業能率が向上する。
【００３７】
また、各押え杆ホルダ（１２、１３）を第１側板（５）と第２側板（６）の傾斜前端部に配置したときであっても、側部苗載せ部材（８，８）を折畳回動するときは、側部苗載せ部材（８，８）の傾斜方向の前後端側への偏倚移動によって、押え杆ホルダ（１２，１３）間の相互回動干渉を防止し、円滑な側部苗載せ部材（８，８）の折畳回動を行うことができるので、苗押え杆（９，１０，１０）の苗押え高さ調節を相互干渉なく、広い幅に亘って調節することができる。
【００３８】
請求項５に記載の発明は、請求項４に記載の発明の効果に加えて、各苗押え杆（９，１０，１０）の先端部を取付保持する押え杆ホルダ（１２，１３）に、ホルダピン（１４，１５）を支持する仮保持部（１６）と、仮保持部（１６）に支持したホルダピン（１４，１５）を押し込んで嵌合保持する嵌合部（１７）を形成したことにより、各苗押え杆（９，１０，１０）のホルダピン（１４，１５）に対する着脱を簡単且つ容易とすることができるので、誤操作が防止され、的確に着脱することができる。
【図面の簡単な説明】
【００３９】
【図１】苗移植機の側面図
【図２】苗移植機の平面図
【図３】側部タンクの折畳姿勢を示す側面図
【図４】側部タンクの一部、押え杆ホルダ部の側面図
【図５】押え杆ホルダ部の正面図。
【図６】押え杆ホルダ部の平面図。
【図７】押え杆ホルダ部の苗押え杆の取付け状態を示す側面図。
【図８】施肥ホッパ部の斜視図。
【図９】施肥装置部の斜視図。
【図１０】施肥装置部の作業状態を示す側面図。
【発明を実施するための形態】
【００４０】
図面に基づいて、苗移植機は、運転席２３前方のステアリングハンドル４５で操向される前輪２０と、エンジン２２によって駆動回転して走行する後輪２１を配置した乗用走行形態の車体２４の後側部に、リフトシリンダ２５の伸縮によって昇降可能リフトリンク２６を介して、このリフトリンク２６の後端部のローリング軸２９周りにローリング回動可能の苗植フレーム２８を連結し、この苗植フレーム２８の上側には、後下り傾斜の苗タンク３を左右往復横移動可能に支持し、後側には、各苗タンク３の後下端部の苗取口部２に作動して、この苗タンク３から繰出されるマット苗を分離保持して土壌面へ植付ける植付装置１を配置し、底部には、これら苗タンク３や、植付装置１、及び苗植フレーム２８等を支持して土壌面を滑走しながら、前記各植付装置１による苗植条位置を均平する苗植条幅方向域中央部のセンタフロート３３と、この左右両側部のサイドフロート３４とを配置した多条植形態の苗植装置２７を装着して苗移植機を構成している。
【００４１】
前記車体２４の後輪２１と、この後方に連結する苗植装置２７のフロート３３、３４との間には、各フロート３３、３４によって均平する土壌面を予め砕土して掻き均す代掻きロ−タ５０を配置して、前記リヤアクスルハウジング４３の内部伝動機構部から取り出される連動軸５１によって連動することができる。
【００４２】
前記苗移植機は、前輪２０と後輪２１を配置して、中央部にエンジン２２と運転席２３を配置した乗用四輪走行形態の車体２４の後側に、リフトシリンダ２５の伸縮によって昇降される平行リンク形態のリフトリンク２６を介して、多条植形態の苗植装置２７を連結する。
【００４３】
この苗植装置２７は、左右横方向に幅広い伝動ケースを主体とした苗植フレーム２８の中央前部にローリング軸２９を有して、このローリング軸２９の周りに苗植フレーム２８をローリング回動可能にして、リフトリンク２６後端のリンクヒッチ３０に装着する。苗植フレーム２８の後側には、植付伝動ケース３１を配置して、各植付伝動ケース３１の左右両側部、又は一側部に、ダブルクランク機構形態に回転する植付装置１を設け、この植付装置１の先端部の植付爪３２が、楕円形状の植付軌跡線Ｄを描いて、上側の苗タンク３の苗取口部２と土壌面との間を昇降作動して、苗取口部２で分離保持した苗をセンタフロート３３や、サイドフロート３４で均平される土壌面に多条植形態に植付ける。
【００４４】
前記苗タンク３は、図例のように八条植え形態の場合では、方形状形態のマット苗に育苗されたマット苗を、各植付装置１に対して一枚毎対向させるようにして、横方向へ並べた形態に搭載することができる。
【００４５】
各マット苗毎の載置面１８の左右両側には適宜高さの仕切ガイド５２を形成して、マット苗の繰り出しを案内する。苗タンク３の載置面（苗載面）１８は、前端上端部を運転席２３後側のリヤフロア４８部に接近させ、後端下端部を植付装置の作用する苗取出口２部にのぞませた形態の、後端下がりの傾斜面に形成して、各苗タンク毎に副数枚毎のマット苗を載せて繰り出すように構成している。
【００４６】
各載置面１８の繰出端部側に繰出ベルト５３を設けて、苗タンク３が左右横端部に移動する毎に、この横移動の停止に伴って連動されて間歇的に駆動されて、前記苗植付装置１の苗植付爪２２による苗分離幅宛て繰出駆動する。
【００４７】
また、前記苗タンク３は、多条植幅形態の広幅形態であるため、苗タンク３の左右横端部の一条植付宛ての側部タンク８を、六条植付宛ての苗植付幅中央部の中央部タンク４部に対して、上側へ折畳み反転回動させて、タンク収納姿勢にして、苗植装置の格納を行い易くする形態としている。
【００４８】
前記多条植形態の苗植装置２７を装着する走行車体２４は、エンジン２２から連動される油圧無段変則装置３５を主変速装置として、副変速装置や、クラッチ等を有したミッションケース３６を車体２４の前部に配置し、このミッションケース３６の下部から左右両側方に亘って形成のフロントアクスルハウジング３７の両側端部に操向自在の操向ケース３８を設けて前車軸３９を軸装する。前記ミッションケース３６の後方には、左右後輪２１を連動する後輪連動軸４０や、ＰＴＯ軸４１が取出されて、後輪連動軸４０は、リヤアクスルハウジング４３に軸装の車軸４２を連動し、ＰＴＯ軸４１は苗植装置２７の入力軸４４を連動する。この後輪２１は、前記苗植装置２７のサイドフロート３４の直前に対向して配置され、センタフロート３３がこの左右の後輪２１間隔部の中央部のセンタライン部上に配置されている。
【００４９】
前記苗植装置２７は、センタフロート３３の滑走揺動によって、リフトシリンダ２５を伸縮させて、浅い土壌面では苗植装置２７を下降し、深い土壌面では上昇させて、苗植付装置１による苗植深が略一定になるように維持制御される。又、各フロート３３、３４による滑走抵抗や、苗植土壌面、乃至土壌耕盤の深さ変化、傾斜等によって、苗植装置２７の左右方向の重量バランスによって中央部のローリング軸２９周りに回動されて、左右のサイドフロート３４を均等な滑走圧力のもとに滑走させるようにローリング制御される形態である。
【００５０】
前記車体２４の上部には、運転席２３の左右両側部から、ステアリングハンドル４５を有するステアリングポスト４６の左右両側部に亘って幅広いサイドフロア４７を構成し、この後端部には運転席２３の後側上部を左右両側方に亘るリヤフロア４８を形成して、運転者または作業者が、これらのサイドフロア４７やリヤフロア４８上面を移動しながら、後側の苗タンク３に対する苗補給作用を行い易くしている。サイドフロア４７の前端外側部には、苗補給用のマット苗を収容する複数段の苗棚枠４９を設けている。
【００５１】
また、前記リヤフロア４８の上側には、施肥装置１９を設けて、この施肥装置１９から繰出した肥料を施肥パイプを経て、前記各フロート３３、３４で均平した苗植付け土壌面に施肥案内する。
【００５２】
前記苗タンク３の折畳形態について、中央部の六条植幅分の中央部タンク４の左右外側端の仕切ガイド５２部に、適宜高さのタンク側板５を形成し、この中央部タンク４の左右外側部に位置する側部タンク８の内側端の仕切ガイド５２部に、適宜高さのタンク側板６を形成して、苗植姿勢状態においては、これら両側板５、６を内外に重合させるようにして、両タンク４、８を横方向に連接して、多条植形態の一枚状の苗タンク３として、苗植付装置１、乃至苗植フレーム２８等に対して、一苗タンク幅相当分の間隔に亘って、左右往復横移動するように、連動駆動される構成としている。
【００５３】
前記中央部タンク４の側板５と、側部タンク８の側板６は、苗植姿勢時には左右両側から相互に対面重合して、仕切ガイド５２の幅域直上方に直立姿勢に形成されて、各タンク４、８の載置面１８にマット苗を搭載しても、このマット苗の苗取出口２側への繰出移送の抵抗にはならない。このタンク側板５、６は、中抜き形成して軽量化を図り、タンク４、８の傾斜方向の前側上部位置と後側下部位置との間に亘って湾曲連結する形態の補強部材５３を設けている。
【００５４】
前記側部タンク８の側板６の上側端縁を、中央部タンク４の外側端の側板５の上側端縁と重合させて、この上側端縁部に沿って設けられる傾斜前後方向の折畳軸７によって蝶番形態にして折畳回動可能に連結構成される。
【００５５】
この折畳軸７の前後中間部にはスプリング１１を設けて、中央部タンク４の側板５部に対して、側部タンク８の側板６部を折畳軸７の上端側へ張発させて、側部タンク８を傾斜方向の前端部側へ常時弾発移動し、乃至弾発して、移動し易い状態に付勢する。
【００５６】
前記苗タンク３は、載置面１８の下側面に上、下スライダ５４、５５を設けて、これらの下スライダ５４、５５を苗植フレーム２８に左右横方向に亘って支持構成した上、下スライドレール５６、５７に支持案内させて、苗タンク３を左右方向へ往復移動可能に構成する。
【００５７】
このうち、下スライドレール５７は、苗タンク３の傾斜後下端面に沿って側面視Ｌ字形状断面形態に立設の苗ガイド５８を形成する。前記上スライドレール５６や、この苗ガイド５８を有した下スライドレール５７は、前記中央部タンク４を中央部に載せたときの状態で、この中央部タンク４の横端部から外側方へ張出す部分の側端部の端部レール５９をも、側部タンク８と共に折畳、回動したり、着脱する形態とすることができる。
【００５８】
前記苗タンク３の載置面１８上方位置に配置する各苗押え杆９、１０は、前記苗取出口２側の後下端部を、左右各側板５の前端部に構成する支持ブラケット６１に取付ける。これら中央部タンク４部の各苗押え杆９、及び側部タンク８部の各苗押え杆１０の後下端部は、このタンク側板５部間に亘る連結杆６０を連結して、前記左右各側板５の支持ブラケット６１に取付ける。
【００５９】
この苗押え杆９の下端部にはラック６２を形成して、このラック６２部をブラケット６１に対して差込移動させて、苗載置面１８に対する苗押え杆９の高さ間隔位置を変更、調節することができる。このような苗押え杆９下端部の支持取付形態は、側部タンク８における苗押え杆１０の支持取付構成においても、この側部タンク８の左右両側板６間に亘る連結杆６０に各苗押え杆１０の下端部を連結して、ラック６２部を介して側部タンク８のブラケット６１に対して苗押え高さ変更、調節可能に設ける構成は、略同一形態に構成される。
【００６０】
前記苗押え杆９、１０の前端部も、略同様形態の押え杆ホルダ１２、１３を用いて、前記タンク側板５、６の前端部に取付けられ、この押え杆ホルダ１２、１３を苗押え高さ移動調節可能に構成する。押え杆ホルダ１２は、中央部タンク５の側板５の前端部のボルト６３締めで取付け、押え杆ホルダ１３は、側部タンク６の側板６の前端部にボルト６４締めで取付ける。
【００６１】
これら各押え杆ホル１２、１３は、前記ボルト６３、６４締めによって着脱のブラケット６５と、このブラケット６５に対して苗押え高さ変更方向に沿って支持されるロッド６６と、このロッド６６に対して摺動調節可能のホルダ６７と、このホルダ６７のロッド６６に対する摺動位置を移動、固定するセットボルト６８などから構成されて、各々中央部タンク４、側部タンク８の前端部に対して略同高さ位置に配置している。
【００６２】
しかしながら、側部タンク８は、折畳回動するときは、中央部タンク４に対して前端部側へ偏倚するため、前記苗押え杆９、１０の前端部を保持する押え杆ホルダ１２、１３は、折畳回動（略１８０度回動）による相互干渉を防止する。
【００６３】
前記各苗押え杆９、１０の前端部は、載置面１８上方へ向けて屈曲させて、この屈曲部６９、７０の先端部に、前記押え杆ホルダ１２、１３のホルダ６７に支持、保持させるホルダピン１４、１５を形成する。
【００６４】
このホルダピン１４、１５は、前記左右両側部の苗押え杆９の上端部杆を連結する連結杆７１の横端、又は、左右両側部の苗押え杆１０の前端部間を連結する連結杆７２の横端を、対向側へ突出させて、ホルダピン１４、１５として、ホルダ６７に支持させたり、嵌合保持させることができる形態としている。
【００６５】
前記のように、苗押え杆９、１０のホルダピン１４、１５を支持嵌合させる押え杆ホルダ１２、１３は、前記タンク側板５、６部に対してボルト６３、６４締めによって取付けられたブラケット６５部のロッド６６に、ホルダ６７をセットボルト６８で高さ調節可能に設けているが、このホルダ６７の左右両側部に適宜長さに突出させて、側面視３の字断面形態の構成とし、このホルダ６７の先端部には前記ホルダピン１４、１５を上側面に支持させる仮保持部１６を形成して、前記ホルダピン１４、１５の支持姿勢を維持することはもとより、このホルダピン１４、１５の着脱を容易に行わせる形態である。
【００６６】
この仮保持部１６の奥側に嵌合部１７を形成して、仮保持部１６に支持した状態のホルダピン１４、１５の押込移動を受けて嵌合させて挟持保持することができる。この嵌合部１７は、嵌合させたホルダピン１４、１５を上、下側から挟持して、ホルダピン１４、１５の仮保持部１６が側への脱出を阻止する形態に構成し、この挟持力に抗してホルダピン１４、１５を仮保持部１６側へ押出操作することによって、ホルダピン１４、１５の保持姿勢を解除することができる。
【００６７】
前記押え杆ホルダ１２、１３の形態を、ホルダピン１４、１５を左右両側部から嵌合させて保持する形態とする場合は、ホルダ６７幅の中央部にヘヤピン形態の仕切ストッパー７５を設け、左右両側の仮保持部１６や嵌合部１７に支持嵌合されるホルダピン１４、１５の嵌合位置を正確に決めて、苗押え杆９、１０の装着を行い易くする。
【００６８】
前記左右両側部の苗押え杆９、１０のホルダピン１４、１５を、押え杆ホルダ１２、１３の左右両側部に保持させる形態は、多条植形態の苗タンク３の中間部のタンク側板５、６部上に、押え杆ホルダ１２、１３を設けて、この押え杆ホルダ１２に、左右両側の苗タンク３の苗押え杆９、１０のホルダピン１４、１５を保持させて、取付ける。
【００６９】
次に、主として図８〜図１０に基づいて、前記車体２４後部のリヤフロア４８上に設ける施肥装置１９の施肥ホッパ８０の前側に、左右横方向のガイドレール８１に沿って支持案内されて、左右移動自在のキャリア台８２を設け、このキャリア台８２に肥料を収容した肥料袋８３を載せて、幅広い施肥ホッパ８０の前側を左右横方向へ移動させながら、開蓋８４状態の施肥ホッパ８０内に肥料を補給する。
【符号の説明】
【００７０】
１  苗植付装置
２  苗取出口
３  苗タンク（苗載せ部材）
４  中央部タンク（主苗載せ部）
５  タンク側板（第１側板）
６  タンク側板（第２側板）
７  折畳軸
８  側部タンク（側部苗載せ部材）
９  苗押え杆
１０  苗押え杆
１１  スプリング（弾発部材）
１２  押え杆ホルダ
１３  押え杆ホルダ
１４  ホルダピン
１５  ホルダピン
１６  仮保持部
１７  嵌合部
１８  載置面
【図１】
2015104354.tif 000003
【図２】
2015104354.tif 000004
【図３】
2015104354.tif 000005
【図４】
2015104354.tif 000006
【図５】
2015104354.tif 000007
【図６】
2015104354.tif 000008
【図７】
2015104354.tif 000009
【図８】
2015104354.tif 000010
【図９】
2015104354.tif 000011
【図１０】
2015104354.tif 000012